(57)【要約】【課題】  大型化を招くことなく筐体への取り付けの自由度を高めつつ、筐体の内部から外部へ漏れるノイズを低減できるコネクタを提供すること。【解決手段】  コネクタ１０は、光コネクタ５２を有する相手側コネクタ５０と嵌合方向に沿って嵌合及び分離可能なコネクタである。コネクタ１０は、筐体８０に取り付けられるレセプタクル１２と、筐体８０の内部に配置される基板８２上に搭載されるアダプタ１６とを備える。アダプタ１６は、光コネクタ５２に接続される内部モジュール１６２と、内部モジュール１６２を少なくとも部分的に収容するケージ１６４とを有する。レセプタクル１２及びケージ１６４の一方には、残りの一方に接触する接触部１６６が設けられる。レセプタクル１２とケージ１６４とは、互いに直接固定されることなく、接触部１６６を介して互いに電気的に接続される。【選択図】図３
2018092051.tif 000002
【特許請求の範囲】
【請求項１】
光コネクタを有する相手側コネクタと嵌合方向に沿って嵌合及び分離可能なコネクタであって、
前記コネクタは、筐体に取り付けられるレセプタクルと、前記筐体の内部に配置される基板上に搭載されるアダプタとを備えており、
前記アダプタは、前記光コネクタに接続される内部モジュールと、前記内部モジュールを少なくとも部分的に収容するケージとを有しており、
前記レセプタクル及び前記ケージの一方には、残りの一方に接触する接触部が設けられており、
前記レセプタクルと前記ケージとは、互いに直接固定されることなく、前記接触部を介して互いに電気的に接続されている
コネクタ。
【請求項２】
請求項１に記載のコネクタであって、
前記レセプタクルは、前記嵌合方向に沿って延びる第１筒状部と、前記第１筒状部から前記筐体の内部へ向かって延びる第２筒状部とを有しており、
前記嵌合方向に沿って見たとき、前記第２筒状部の外形及び内部形状は、前記第１筒状部の外形及び内部形状よりもそれぞれ小さいものであり、
前記接触部は、前記ケージに設けられた少なくとも一つの弾性片であり、
前記少なくとも一つの弾性片が前記第２筒状部の内面に接触している
コネクタ。
【請求項３】
請求項２に記載のコネクタであって、
前記嵌合方向に沿って見たとき、前記第１筒状部及び前記第２筒状部の各々の外形及び内部形状はともに略矩形であり、
前記第２筒状部の前記内面は、対向する二つの平面を二組有しており、
前記少なくとも一つの弾性片は、複数の弾性片であり、
前記複数の弾性片は、前記二組の前記平面のうち少なくとも一方の組の前記平面の両方に接触するように配置されている
コネクタ。
【請求項４】
請求項１に記載のコネクタであって、
前記レセプタクルには、前記接触部として一対のアーム部が設けられており、
前記一対のアーム部は、前記筐体の内部へ向かって延びており、
前記一対のアーム部のうちの少なくとも一方は弾性を有しており、
前記一対のアーム部は、前記ケージを挟んでいる
コネクタ。
【請求項５】
請求項１に記載のコネクタであって、
前記レセプタクルは、前記嵌合方向に沿って前記筐体の内部へ向かって延びる筒状部を有しており、
前記接触部は、前記ケージに設けられた少なくとも一つの弾性片であり、
前記少なくとも一つの弾性片が前記筒状部の内面に接触しており、
前記嵌合方向に沿って見たとき、前記筒状部の周囲には前記嵌合方向に貫通する少なくとも一つの孔が設けられている
コネクタ。
【請求項６】
請求項５に記載のコネクタであって、
前記嵌合方向に沿って見たとき、前記筒状部の外形及び内部形状はともに略矩形であり、
前記筒状部の前記内面は、対向する二つの平面を二組有しており、
前記少なくとも一つの弾性片は、複数の弾性片であり、
前記複数の弾性片は、前記二組の前記平面のうち少なくとも一方の組の前記平面の両方に接触するように配置されている
コネクタ。
【請求項７】
請求項１から請求項６のいずれかに記載のコネクタであって、
前記レセプタクル、前記ケージ及び前記接触部はそれぞれ金属製である
コネクタ。
【請求項８】
請求項１から請求項６のいずれかに記載のコネクタであって、
前記レセプタクル、前記ケージ及び前記接触部の少なくとも一つは、絶縁樹脂の表面に導電膜を形成して構成されている
コネクタ。
【発明の詳細な説明】
【技術分野】
【０００１】
本発明は、コネクタに関し、特に、筐体に取り付けられるレセプタクルと、筐体の内部に配置される基板上に搭載されるアダプタとを備えるコネクタに関する。
【背景技術】
【０００２】
図４１を参照すると、特許文献１に記載されたコネクタ９００は、ホスト装置（図示せず）の基板９１０上に設けられたケージ９２０と、ケージ９２０に挿入されるモジュール９３０とを備えている。ケージ９２０の前端部分は、ホスト装置のフロントパネル９４０の開口９４２に挿入されている。モジュール９３０は、レセプタクル９５０がフロントパネル９４０の外へ突き出すように、ケージ９２０に挿入されている。ケージ９２０は、その前端部分に複数のケージフィンガ９２２を有している。ケージ９２０は、ケージフィンガ９２２によりフロントパネル９４０と電気的に接続される。これにより、ケージ９２０とホスト装置の筐体とが電気的に接続され、モジュール９３０で発生したノイズが筐体の外へ漏れるのを抑制できる。
【０００３】
図４２を参照すると、特許文献２に記載された相手側エンクロージャーアセンブリ９７０は、延長部９７２を有している。延長部９７２を有することにより、送受信機を有するケージ（図示せず）の位置を電子機器（図示せず）の壁の後方に設定できる。
【先行技術文献】
【特許文献】
【０００４】
【特許文献１】特開２００９−１６４３３８号公報
【特許文献２】特開２０１６−０２９６５４号公報
【発明の概要】
【発明が解決しようとする課題】
【０００５】
特許文献１のコネクタ９００において、ホスト装置のフロントパネル９４０は、ケージ９２０に直接取り付けられる。また、レセプタクル９５０はモジュール９３０の一部として構成されている。そのため、特許文献１のコネクタ９００には、筐体への取り付けの自由度が低いという問題がある。
【０００６】
特許文献２の相手側エンクロージャーアセンブリ９７０には、延長部のサイズが比較的大きいという問題がある。また、特許文献２において相手側エンクロージャーアセンブリ９７０とケージとの関係が不明であり、特許文献２はＥＭＩ（Electromagnetic Interference）対策について開示していない。
【０００７】
本発明は、大型化を招くことなく筐体への取り付けの自由度を高めつつ、筐体の内部から外部へ漏れるノイズを低減できるコネクタを提供することを目的とする。
【課題を解決するための手段】
【０００８】
本発明は、第１のコネクタとして、光コネクタを有する相手側コネクタと嵌合方向に沿って嵌合及び分離可能なコネクタであって、
前記コネクタは、筐体に取り付けられるレセプタクルと、前記筐体の内部に配置される基板上に搭載されるアダプタとを備えており、
前記アダプタは、前記光コネクタに接続される内部モジュールと、前記内部モジュールを少なくとも部分的に収容するケージとを有しており、
前記レセプタクル及び前記ケージの一方には、残りの一方に接触する接触部が設けられており、
前記レセプタクルと前記ケージとは、互いに直接固定されることなく、前記接触部を介して互いに電気的に接続されている
コネクタを提供する。
【０００９】
また、本発明は、第２のコネクタとして、
第１のコネクタであって、
前記レセプタクルは、前記嵌合方向に沿って延びる第１筒状部と、前記第１筒状部から前記筐体の内部へ向かって延びる第２筒状部とを有しており、
前記嵌合方向に沿って見たとき、前記第２筒状部の外形及び内部形状は、前記第１筒状部の外形及び内部形状よりもそれぞれ小さいものであり、
前記接触部は、前記ケージに設けられた少なくとも一つの弾性片であり、
前記少なくとも一つの弾性片が前記第２筒状部の内面に接触している
コネクタを提供する。
【００１０】
また、本発明は、第３のコネクタとして、
第２のコネクタであって、
前記嵌合方向に沿って見たとき、前記第１筒状部及び前記第２筒状部の各々の外形及び内部形状はともに略矩形であり、
前記第２筒状部の前記内面は、対向する二つの平面を二組有しており、
前記少なくとも一つの弾性片は、複数の弾性片であり、
前記複数の弾性片は、前記二組の前記平面のうち少なくとも一方の組の前記平面の両方に接触するように配置されている
コネクタを提供する。
【００１１】
また、本発明は、第４のコネクタとして、
第１のコネクタであって、
前記レセプタクルには、前記接触部として一対のアーム部が設けられており、
前記一対のアーム部は、前記筐体の内部へ向かって延びており、
前記一対のアーム部のうちの少なくとも一方は弾性を有しており、
前記一対のアーム部は、前記ケージを挟んでいる
コネクタを提供する。
【００１２】
また、本発明は、第５のコネクタとして、
第１のコネクタであって、
前記レセプタクルは、前記嵌合方向に沿って前記筐体の内部へ向かって延びる筒状部を有しており、
前記接触部は、前記ケージに設けられた少なくとも一つの弾性片であり、
前記少なくとも一つの弾性片が前記筒状部の内面に接触しており、
前記嵌合方向に沿って見たとき、前記筒状部の周囲には前記嵌合方向に貫通する少なくとも一つの孔が設けられている
コネクタを提供する。
【００１３】
また、本発明は、第６のコネクタとして、
第５のコネクタであって、
前記嵌合方向に沿って見たとき、前記筒状部の外形及び内部形状はともに略矩形であり、
前記筒状部の前記内面は、対向する二つの平面を二組有しており、
前記少なくとも一つの弾性片は、複数の弾性片であり、
前記複数の弾性片は、前記二組の前記平面のうち少なくとも一方の組の前記平面の両方に接触するように配置されている
コネクタを提供する。
【００１４】
また、本発明は、第７のコネクタとして、
第１から第６のコネクタのいずれかであって、
前記レセプタクル、前記ケージ及び前記接触部はそれぞれ金属製である
コネクタを提供する。
【００１５】
さらに、本発明は、第８のコネクタとして、
第１から第６のコネクタのいずれかであって、
前記レセプタクル、前記ケージ及び前記接触部の少なくとも一つは、絶縁樹脂の表面に導電膜を形成して構成されている
コネクタを提供する。
【発明の効果】
【００１６】
コネクタは、筐体に取り付けられるレセプタクルと、筐体の内部に配置される基板上に搭載されるアダプタとを備えるため、筐体に対する取り付けの自由度が向上する。また、レセプタクル及びアダプタのケージの一方には、残りの一方と接触する接触部が設けられているため、これらは互いに直接固定されることなく電気的に接続され、筐体とともにノイズの放射を抑制する。
【図面の簡単な説明】
【００１７】
【図１】本発明の第１の実施の形態によるコネクタを含むコネクタ組立体を示す斜視図である。コネクタと相手側コネクタは未だ嵌合していない。コネクタのレセプタクルは筐体に取り付けられており、コネクタのアダプタは基板に搭載されている。筐体は、部分的に示されている。
【図２】図１のコネクタ組立体を示す他の斜視図である。コネクタと相手側コネクタとは嵌合状態にある。
【図３】図１のコネクタ組立体を示すＡ−Ａ線断面図である。コネクタに含まれるアダプタの内部モジュールの詳細は示されていない。
【図４】図２のコネクタ組立体を示すＢ−Ｂ線断面図である。コネクタに含まれるアダプタの内部モジュールの詳細は示されていない。
【図５】図１のコネクタ組立体に含まれるコネクタを示す斜視図である。コネクタのレセプタクルは筐体に取り付けられており、コネクタのアダプタは基板に搭載されている。筐体は、部分的に示されている。
【図６】図５のコネクタを示す他の斜視図である。
【図７】図５のコネクタを示す正面図である。
【図８】図７のコネクタを示すＣ−Ｃ線断面図である。コネクタの一部を拡大して示している。コネクタに含まれるアダプタの内部モジュールの詳細は示されていない。
【図９】図５のコネクタを示す背面図である。コネクタの一部を拡大して示している。
【図１０】図５のコネクタに含まれるレセプタクルを示す斜視図である。
【図１１】図１０のレセプタクルを示す他の斜視図である。
【図１２】図１０のレセプタクルを示す正面図である。
【図１３】図１０のレセプタクルを示す背面図である。
【図１４】図１２のレセプタクルを示すＤ−Ｄ線断面図である。
【図１５】本発明の第２の実施の形態によるコネクタを含むコネクタ組立体を示す斜視図である。コネクタと相手側コネクタは嵌合状態にあり、カップリングナットはレセプタクルから離れている。コネクタのレセプタクルは筐体に取り付けられており、コネクタのアダプタは基板に搭載されている。筐体は、部分的に示されている。
【図１６】図１５のコネクタ組立体を示す他の斜視図である。
【図１７】図１５のコネクタ組立体を示す他の斜視図である。カップリングナットはレセプタクルに固定されている。
【図１８】図１７のコネクタ組立体を示す他の斜視図である。
【図１９】図１８のコネクタ組立体を示す背面図である。
【図２０】図１９のコネクタ組立体を示すＥ−Ｅ線断面図である。
【図２１】図１５のコネクタ組立体に含まれるコネクタを示す斜視図である。コネクタのレセプタクルは筐体に取り付けられており、コネクタのアダプタは基板に搭載されている。筐体は、部分的に示されている。
【図２２】図２１のコネクタを示す他の斜視図である。
【図２３】図２１のコネクタを示す平面図である。
【図２４】図２１のコネクタを示す正面図である。
【図２５】図２１のコネクタを示す右側面図である。
【図２６】図２１のコネクタを示す背面図である。
【図２７】図２１のコネクタに含まれるレセプタクルを示す斜視図である。
【図２８】図２７のレセプタクルを示す他の斜視図である。
【図２９】図２７のレセプタクルの分解斜視図である。
【図３０】本発明の第３の実施の形態によるコネクタを含むコネクタ組立体を示す斜視図である。コネクタと相手側コネクタは嵌合状態にある。コネクタのレセプタクルは筐体に取り付けられており、コネクタのアダプタは基板に搭載されている。筐体は、部分的に示されている。
【図３１】図３０のコネクタ組立体を示す他の斜視図である。
【図３２】図３１のコネクタ組立体を示す背面図である。コネクタ組立体の一部を拡大して示している。
【図３３】図３０のコネクタ組立体に含まれるコネクタのレセプタクルを示す斜視図である。
【図３４】図３３のレセプタクルを示す他の斜視図である。
【図３５】図３３のレセプタクルを示す背面図である。
【図３６】図３３のレセプタクルを示す正面図である。
【図３７】図３６のレセプタクルを示すＦ−Ｆ線断面図である。
【図３８】図３１のコネクタ組立体に含まれる相手側コネクタを示す斜視図である。
【図３９】図３８の相手側コネクタと図３３のレセプタクルとの組み合わせを示す斜視図である。レセプタクルは、コネクタと相手コネクタとが嵌合状態にあるときの位置にある。
【図４０】図３９の相手側コネクタとレセプタクルとの組み合わせを示すＦ−Ｆ線断面図である。
【図４１】特許文献１に記載されたコネクタを示す斜視図である。
【図４２】特許文献２に記載された相手側エンクロージャーアセンブリを示す斜視図である。
【発明を実施するための形態】
【００１８】
（第１の実施の形態）
図１から図４までの図から理解されるように、本発明の第１の実施の形態によるコネクタ１０は、嵌合方向に沿って相手側コネクタ（プラグコネクタ）５０と嵌合及び分離可能なレセプタクルコネクタである。コネクタ１０は、相手側コネクタ５０とともにコネクタ組立体を構成している。なお、本実施の形態において、嵌合方向は、Ｘ方向である。
【００１９】
図５から図９までの図に示されるように、コネクタ１０は、レセプタクル１２とアダプタ１６とを備えている。レセプタクル１２は、機器（図示せず）の筐体８０に外側（−Ｘ方向）から取り付けられる。レセプタクル１２の一部は、筐体８０に形成された穴８０２に挿入され、筐体８０の内側（＋Ｘ方向）へ突き出している。アダプタ１６は、筐体８０の内部に配置される基板８２上に搭載されている。アダプタ１６の一部は、レセプタクル１２の内部に位置している。レセプタクル１２と基板８２とは、筐体８０及びその他の部材（図示せず）を介して互いに固定されている。また、レセプタクル１２とアダプタ１６とは、互いに直接固定されていない。筐体８０は金属製であり、好ましくは電気的に接地されている。
【００２０】
図１０から図１４までの図に示されるように、レセプタクル１２は、フランジ部１２２と、第１角筒状部（第１筒状部）１２４と、第２角筒状部（第２筒状部）１２６と、円筒状部１２８とを有している。レセプタクル１２は金属製であり、筐体８０に取り付けられたとき（図８参照）、筐体８０に電気的に接続される。図１０から図１３までの図に示されるように、フランジ部１２２は、矩形の板状部である。フランジ部１２２の４つの角部には、フランジ部１２２を前後方向に貫通するネジ穴１３０が形成されている。また、図１１、図１３及び図１４から理解されるように、フランジ部１２２の後面には、第１角筒状部１２４の周囲を囲うように溝１３２が形成されており、溝１３２には防水部材１３４が嵌め込まれている。なお、本実施の形態において、前後方向は嵌合方向と一致しており、−Ｘ方向が前方、＋Ｘ方向が後方である。
【００２１】
図１１及び図１４に示されるように、第１角筒状部１２４は、前後方向においてフランジ部１２２から後方へ突き出している。第２角筒状部１２６は、第１角筒状部１２４からさらに後方へ突き出している。図６及び図８から理解されるように、レセプタクル１２が筐体８０に取り付けられたとき、第１角筒状部１２４は嵌合方向に沿ってフランジ部１２２から筐体８０の内側（＋Ｘ方向）に向かって延びている。また、このとき、第２角筒状部１２６は、第１角筒状部１２４からさらに筐体の内側（＋Ｘ方向）に向かって延びている。一方、円筒状部１２８は、図１０、図１１及び図１４に示されるように、フランジ部１２２から前方へ突き出している。図５及び図８から理解されるように、レセプタクル１２が筐体８０に取り付けられたとき、円筒状部１２８は、フランジ部１２２から嵌合方向に沿って筐体の外側（−Ｘ方向）へ向かって延びている。
【００２２】
図１１から図１４までの図から理解されるように、嵌合方向に沿って見たとき、第１角筒状部１２４及び第２角筒状部１２６の外形及び内部形状はともに略矩形である。詳しくは、これらの形状は、角を丸めた矩形である。但し、本発明はこれに限られない。第２角筒状部１２６の内部形状がアダプタ１６（図６参照）の外形に対応しているかぎり、第１角筒状部１２４及び第２角筒状部１２６の外形及び内部形状は、多角形や楕円形、あるいは円形であってもよい。また、嵌合方向に沿って見たとき、第２角筒状部１２６の外形及び内部形状は、第１角筒状部１２４の外形及び内部形状よりも夫々小さい。また、図１２に示されるように、第１角筒状部１２４の内部形状は、円筒状部１２８の内部形状よりも小さい。第１角筒状部１２４の内部形状は、円筒状部１２８の内部形状に略内接している。本実施の形態では、第１角筒状部１２４の内部形状を円筒状部１２８の内部形状よりも小さくしたことで、第１角筒状部１２４の大型化を回避できるとともに、溝１３２とそこに設けられる防水部材１３４を小さくでき、ひいてはレセプタクル１２の大型化を回避できる。
【００２３】
図１０から図１４までの図から理解されるように、第２角筒状部１２６は、その内面として、対向する二つの平面を二組有している。詳しくは、第２角筒状部１２６の内面は、上下方向において対向する上面１３６及び下面１３８と、左右方向において対向する一対の側面１４０とを有している。また、図１０及び図１４に示されるように、円筒状部１２８の内周面には雌ネジ１４２が形成されている。なお、本実施の形態において、上下方向はＺ方向であり、左右方向はＹ方向である。
【００２４】
図８に示されるように、アダプタ１６は、内部モジュール１６２とケージ１６４とを有している。ケージ１６４は、筐体８０の内側（＋Ｘ方向）に位置している。内部モジュール１６２は、一部を除いて筐体８０の内側（＋Ｘ方向）に位置している。換言すると、内部モジュール１６２の一部は、筐体８０の外側（−Ｘ方向）に位置している。内部モジュール１６２は、コネクタ１０が相手側コネクタ５０（図３及び図４参照）と嵌合したとき、相手側コネクタ５０に含まれる光コネクタ５２（図３及び図４参照）と接続される。内部モジュール１６２は、例えば、ＳＦＰ（Small Form-Factor Pluggable）モジュールや中継モジュールである。ケージ１６４は、四角筒状の形状を有し、薄い金属板を切り抜き、曲げ加工して形成されたものである。ケージ１６４は、基板８２に固定され、内部モジュール１６２を少なくとも部分的に着脱可能に収容する。換言すると、ケージ１６４は、内部モジュール１６２の外面を少なくとも部分的に覆っている。これにより、ケージ１６４は、内部モジュール１６２から放射されるノイズを遮蔽する。
【００２５】
図６、図８及び図９から理解されるように、ケージ１６４の前端部には、複数の弾性片１６６（接触部）が設けられている。弾性片１６６は、ケージ１６４を構成する金属板の一部を切り起こし、曲げ加工して形成される。弾性片１６６は、レセプタクル１２の第２角筒状部１２６の内面に接触し、ケージ１６４をレセプタクル１２に電気的に接続する。本実施の形態において、弾性片１６６は、ケージ１６４の上面、下面及び一対の側面に夫々複数設けられている。但し、本発明はこれに限られない。弾性片１６６は、ケージ１６４のいずれかの面に少なくとも一つ形成されていればよい。しかしながら、レセプタクル１２の第２角筒状部１２６との接触を安定させるためには、弾性片１６６は、第２角筒状部１２６の対向する二つの平面（上面１３６及び下面１３８、または一対の側面１４０）の両方に接触するように設けられることが好ましく、二組の平面（上面１３６、下面１３８、及び一対の側面１４０）全てに接触するように設けられることがより好ましい。
【００２６】
以上のように、本実施の形態では、レセプタクル１２を筐体８０に取り付け、アダプタ１６を筐体８０の内部に配置された基板８２上に搭載するようにしたので、筐体８０への取り付けの自由度が向上する。また、本実施の形態において、レセプタクル１２及びケージ１６４の一方には、残りの一方と接触する弾性片１６６（接触部）が設けられている。これにより、レセプタクル１２とケージ１６４とは、互いに直接固定されることなく、弾性片１６６を介して互いに電気的に接続される。また、図５及び図７に示されるように、レセプタクル１２は、筐体８０にネジ止めされて、筐体８０と電気的に接続される。これにより、内部モジュール１６２からのノイズをケージ１６４及び筐体８０で遮蔽できる。本実施の形態によるコネクタ１０は、後述する第２及び第３の実施の形態によるコネクタ１０Ａ，１０Ｂに比べて、筐体８０に形成される穴８０２を小さくできる。これにより、ノイズの漏れをより低減できる。
【００２７】
（第２の実施の形態）
図１５から図２０までの図から理解されるように、本発明の第２の実施の形態によるコネクタ１０Ａは、嵌合方向に沿って相手側コネクタ（プラグコネクタ）５０Ａと嵌合及び分離可能なレセプタクルコネクタである。相手側コネクタ５０Ａは、相手側コネクタ５０（図１参照）とその構成が異なっており、それに応じてコネクタ１０Ａも第１の実施の形態によるコネクタ１０（図１参照）とその構成が異なっている。以下、主としてコネクタ１０Ａとコネクタ１０との相違点について説明する。以下の説明において、コネクタ１０の構成要素と同一のコネクタ１０Ａの構成要素には同一参照番号を付し、その説明を省略する。
【００２８】
図２１から図２６までの図に示されるように、コネクタ１０Ａは、レセプタクル１２Ａとアダプタ１６とを備えている。レセプタクル１２Ａには、一対のアーム部２１０（接触部）が設けられている。レセプタクル１２Ａは、機器（図示せず）の筐体８０Ａに外側（−Ｘ方向）から取り付けられる。レセプタクル１２Ａに設けられたアーム部２１０は、筐体８０Ａに形成された穴８０２Ａの内部から筐体８０Ａの内側（＋Ｘ方向）へ向かって延びている。アダプタ１６は、筐体８０Ａの内部に配置される基板８２上に搭載されている。ケージ１６４は、筐体８０Ａの内側（＋Ｘ方向）に位置している。内部モジュール１６２の一部は、筐体８０Ａの穴８０２Ａの内部に位置している。
【００２９】
図２７から図２９までの図に示されるように、レセプタクル１２Ａは、レセプタクル本体２００と、レセプタクル本体２００にネジ止めされた一対のアーム部２１０とを有している。レセプタクル１２Ａが第１の実施の形態の第１角筒状部１２４及び第２角筒状部１２６（図１１参照）を有していないので、コネクタ１０Ａの小型化、換言すると筐体８０Ａより筐体内部側（＋Ｘ方向）の省スペース化が図れる。レセプタクル本体２００及びアーム部２１０は、それぞれ、金属製である。レセプタクル本体２００が筐体８０Ａに取り付けられたとき（図２５参照）、アーム部２１０は、レセプタクル本体２００を介して筐体８０Ａに電気的に接続される。レセプタクル本体２００は、フランジ部１２２Ａと円筒状部１２８Ａとを有している。フランジ部１２２Ａは、矩形の板状部である。フランジ部１２２Ａの４つの角部にはフランジ部１２２Ａを前後方向に貫通するネジ穴１３０が形成されている。フランジ部１２２Ａの後面には、レセプタクル本体２００の開口部２０２を囲うように防水部材用の溝１３２が形成されている。
【００３０】
図２７から図２９までの図に示されるように、円筒状部１２８Ａは、フランジ部１２２Ａから前方へ突き出している。図２１、図２３及び図２５に示されるように、円筒状部１２８Ａは、レセプタクル１２Ａが筐体８０Ａに取り付けられたとき、フランジ部１２２Ａから嵌合方向に沿って筐体８０Ａの外側（−Ｘ方向）へ向かって延びる。フランジ部１２２Ａには、コネクタ１０Ａと相手側コネクタ５０Ａ（図２０参照）とが嵌合したしたとき、それらの間を防水する防水部材２０４が取り付けられている。
【００３１】
図２９から理解されるように、一対のアーム部２１０は、同一の構成を有している。詳しくは、各アーム部２１０は、所定形状の金属板を折り曲げて形成されている。各アーム部２１０は、接点（又は接触面）２１２と、接点２１２を支持する支持部２１４とを有している。支持部２１４は、弾性を有している。支持部２１４の一端（固定端）は、フランジ部１２２Ａに設けられた固定部１４４にねじ止めされる。但し、本発明はこれに限定されない。アーム部２１０は、レセプタクル本体２００に接着、溶接、圧入等の方法で固定されてもよい。支持部２１４の他端（自由端）は、少なくとも左右方向に移動可能である。支持部２１４の一端（固定端）から離れている。望ましくは、接点２１２は、支持部２１４の他端（自由端）の近くに位置する。接点２１２は、支持部２１４の弾性変形により、少なくとも左右方向に移動可能となるように支持部２１４に支持される。アーム部２１０の形状は、特に限定されないが、接点２１２が左右方向において内側に向くように形成される。図２２を併せて参照すると、左右方向において、一対の接点２１２の間隔は、アダプタ１６の幅よりも狭い。アダプタ１６を一対の接点２１２の間に位置させると、アーム部２１０はアダプタ１６を挟み、接点２１２は支持部２１４の復元力によってアダプタ１６に押し付けられる。こうして、本実施の形態においては、アーム部２１０がケージ１６４に接触する接触部として働く。これにより、アダプタ１６のケージ１６４とレセプタクル１２Ａとが、アーム部２１０によって電気的に接続される。なお、本実施の形態では、一対のアーム部２１０が同一の構成を有し、ともに弾性を有しているが、一対のアーム部２１０の一方が弾性を有していればよい。また、本実施の形態では、一対のアーム部２１０が左右方向に配置されているが、アーム部２１０は、上下方向に配置されてもよい。あるいは、一対のアーム部２１０を左右方向に配置し、別の一対のアーム部を上下方向に配置してもよい。また、本実施の形態において、ケージ１６４の前端部には、その上面、下面及び側面に、切り起こされ曲げ加工された複数の弾性片１６６が設けられている。しかしながら、本発明はこれに限られない。ケージ１６４は弾性片１６６を有していなくてもよい。換言すると、ケージ１６４の上面、下面及び一対の側面は、平面であってもよい。アーム部２１０は、支持部２１４の弾性により、弾性片１６６の有無にかかわらず、ケージ１６４に接触できる。
【００３２】
以上のように、本実施の形態においても、レセプタクル１２Ａを筐体８０Ａに取り付け、アダプタ１６を筐体８０Ａの内部に配置された基板８２上に搭載するようにしたので、筐体８０Ａへの取り付けの自由度が向上する。また、本実施の形態において、レセプタクル１２Ａ及びケージ１６４の一方には、残りの一方と接触するアーム部２１０（接触部）が設けられている。これにより、レセプタクル１２Ａとケージ１６４とは、互いに直接固定されることなく、アーム部２１０を介して互いに電気的に接続される。また、図２１、図２３から図２５までの図から理解されるように、レセプタクル１２Ａは、筐体８０Ａにネジ止めされて筐体８０Ａと電気的に接続される。これにより、内部モジュール１６２からのノイズをケージ１６４及び筐体８０Ａで遮蔽できる。本実施の形態では、接触部であるアーム部２１０が弾性変形するので、レセプタクル１２Ａとケージ１６４の相互位置のばらつきが、第１の実施の形態よりも大きい場合でも、ケージ１６４とレセプタクル１２Ａとの電気的接続を確立できる。
【００３３】
（第３の実施の形態）
図３０から図３２までの図から理解されるように、本発明の第３の実施の形態によるコネクタ１０Ｂは、嵌合方向に沿って相手側コネクタ（プラグコネクタ）５０Ｂと嵌合及び分離可能なレセプタクルコネクタである。相手側コネクタ５０Ｂは、相手側コネクタ５０（図１参照）とその構成が異なっており、それに応じてコネクタ１０Ｂも第１の実施の形態によるコネクタ１０とその構成が異なっている。以下、主としてコネクタ１０Ｂとコネクタ１０（図１参照）との相違点について説明する。以下の説明において、コネクタ１０の構成要素と同一のコネクタ１０Ｂの構成要素には同一の参照番号を付し、その説明を省略する。
【００３４】
図３０及び図３１から理解されるように、コネクタ１０Ｂは、レセプタクル１２Ｂとアダプタ１６とを備えている。レセプタクル１２Ｂは、機器（図示せず）の筐体８０Ｂに外部（−Ｘ方向）から取り付けられる。レセプタクル１２Ｂの一部は、筐体８０Ｂに形成された穴８０２Ｂに挿入され、筐体８０Ｂの内側（＋Ｘ方向）へ突き出している。アダプタ１６は、筐体８０Ｂの内部に配置される基板８２上に搭載されている。ケージ１６４は、筐体８０Ｂの内側（＋Ｘ方向）に位置している。
【００３５】
図３３から図３７までの図に示されるように、レセプタクル１２Ｂは、フランジ部１２２Ｂと、角筒状部（筒状部）１２６Ｂと、円筒状部１２８Ｂとを有している。レセプタクル１２Ｂは、金属製であり、筐体８０Ｂに取り付けられたとき（図３０参照）、筐体８０Ｂに電気的に接続される。図３３から図３７までの図から理解されるように、フランジ部１２２Ｂは、矩形の板状部である。フランジ部１２２Ｂの４つの角部にはフランジ部１２２Ｂを前後方向に貫通するネジ穴１３０が形成されている。また、図３３、図３５から図３７までの図に示されるように、フランジ部１２２Ｂの後面には、防水部材用の溝１３２が形成されている。
【００３６】
図３３、図３４及び図３７に示されるように、角筒状部１２６Ｂは、前後方向において、フランジ部１２２Ｂから後方へ突き出している。角筒状部１２６Ｂは、前後方向において、フランジ部１２２Ｂの後面（取付面）よりも前方へ延びている。これは、角筒状部１２６Ｂがケージ１６４（図３１参照）の前端よりも前方へ延びていることを意味する。これにより、角筒状部１２６Ｂは、ケージ１６４から前方へ突出している内部モジュール１６２の一部をも囲うことができる。一方、円筒状部１２８Ｂは、前後方向において、フランジ部１２２Ｂから前方へ突き出している。レセプタクル１２Ｂが筐体８０Ｂに取り付けられたとき（図３１及び図３２参照）、角筒状部１２６Ｂは嵌合方向に沿ってフランジ部１２２Ｂから筐体８０Ｂの内側（＋Ｘ方向）へ向かって延び、円筒状部１２８Ｂはフランジ部１２２Ｂから嵌合方向に沿って筐体８０Ｂの外側（−Ｘ方向）へ向かって延びている。
【００３７】
図３５に示されるように、嵌合方向に沿って見たとき、角筒状部１２６Ｂの外形及び内部形状はともに略矩形である。但し、本発明はこれに限られない。角筒状部１２６Ｂの内部形状がアダプタ１６（図３１参照）の外形に対応している限り、角筒状部１２６Ｂの外形及び内部形状は、多角形や楕円形、あるいは円形であってもよい。また、嵌合方向に沿って見たとき、図３６に示されるように、角筒状部１２６Ｂの内部形状は、円筒状部１２８Ｂの内部形状よりも小さい。これにより、角筒状部１２６Ｂの大型化、ひいてはレセプタクル１２Ｂの大型化を回避できる。
【００３８】
図３３、図３５及び図３７から理解されるように、嵌合方向に沿って見たとき、円筒状部１２８Ｂと角筒状部１２６Ｂとの間には、角筒状部１２６Ｂの各辺に沿って四つの孔１４６が形成されている。但し、本発明はこれに限定されない。角筒状部１２６Ｂの周囲に少なくとも一つの孔１４６が形成されていればよい。孔１４６は、フランジ部１２２Ｂの後面（取付面）上に開口し、円筒状部１２８Ｂの内部空間に通じている。
【００３９】
図３３、図３５から図３７までの図から理解されるように、角筒状部１２６Ｂは、その内面として、対向する二つの平面を二組有している。詳しくは、角筒状部１２６Ｂの内面は、上下方向において対向する上面１３６Ｂ及び下面１３８Ｂと、左右方向において対向する一対の側面１４０Ｂを有している。
【００４０】
図３２に示されるように、本実施の形態において、ケージ１６４の弾性片１６６は、レセプタクル１２Ｂの角筒状部１２６Ｂの内面に接触し、ケージ１６４をレセプタクル１２に電気的に接続する。
【００４１】
図３８に示されるように、相手側コネクタ５０Ｂは、四つのガイド突起部５０２Ｂを有している。ガイド突起部５０２Ｂは、光コネクタ５２の先端よりも後方（＋Ｘ方向）に突出している。これにより、相手側コネクタ５０Ｂが落下した場合などにおいて、光コネクタ５２の先端が何かに衝突するのを防止できる。図３９及び図４０に示されるように、相手側コネクタ５０Ｂとレセプタクル１２Ｂ（コネクタ１０Ｂ）とが嵌合状態にあるとき、ガイド突起部５０２Ｂは、レセプタクル１２Ｂの孔１４６に挿入される。このとき、ガイド突起部５０２Ｂは角筒状部１２６Ｂの周囲を部分的に覆い、ノイズの遮蔽に貢献する。相手側コネクタ５０Ｂをレセプタクル１２Ｂ（コネクタ１０Ｂ）と嵌合させる際には、ガイド突起部５０２Ｂの先端が孔１４６に挿入され、それによって、コネクタ１０Ｂに対する相手側コネクタ５０Ｂの嵌合方向に沿った軸の周りの回転が規制される。ここで、嵌合方向に沿って見たときのガイド突起部５０２Ｂの配置を非対称にしたり、少なくとも一つのガイド突起部５０２Ｂの形状を非対称にしたりしておくことで、ガイド突起部５０２Ｂの先端が孔１４６に挿入可能となる相手側コネクタ５０Ｂの向きを制限することができる。本実施の形態では、三つのガイド突起５０２Ｂの形状を非対称にしている。これにより、コネクタ１０Ｂと相手側コネクタ５０Ｂとの誤嵌合を防止することができる。
【００４２】
以上のように、本実施の形態においても、レセプタクル１２Ｂを筐体８０Ｂに取り付け、アダプタ１６を筐体８０Ｂの内部に配置された基板８２上に搭載するようにしたので、筐体８０Ｂへの取り付けの自由度が向上する。また、本実施の形態において、レセプタクル１２Ｂ及びケージ１６４の一方には、残りの一方と接触する弾性片１６６が設けられている。これにより、レセプタクル１２Ｂとケージ１６４とは、互いに直接固定されることなく、接触部１６６を介して互いに電気的に接続される。また、図３０から理解されるように、レセプタクル１２Ｂは、筐体８０Ｂにネジ止めされて筐体８０Ｂと電気的に接続される。これにより、内部モジュール１６２からのノイズをケージ１６４及び筐体８０Ｂで遮蔽できる。本実施の形態では、角筒状部１２６Ｂがフランジ部１２２Ｂの後面よりも前方へ延びて、内部モジュール１６２の一部を覆うので、内部モジュール１６２からのノイズの漏れをより低減できる。
【００４３】
以上、本発明についていくつかの実施の形態を掲げて具体的に説明してきたが、本発明は、これらに限定されるものではなく、種々の変形、変更が可能である。例えば、上記実施の形態では、レセプタクル１２，１２Ａ，１２Ｂ、ケージ１６４及び接触部（弾性片１６６、アーム部２１０）がすべて金属製であるとしたが、これらのうちの一部または全部は、絶縁樹脂の表面に導電膜を形成して構成されてもよい。また、上記実施の形態では、レセプタクル１２，１２Ａ，１２Ｂは、筐体８０に取り付けられているが、筐体８０を構成する部品、例えばフロントパネル等に取り付けられてもよい。
【符号の説明】
【００４４】
１０，１０Ａ，１０Ｂ    コネクタ
１２，１２Ａ，１２Ｂ    レセプタクル
１２２，１２２Ａ，１２２Ｂ    フランジ部
１２４    第１角筒状部（第１筒状部）
１２６    第２角筒状部（第２筒状部）
１２６Ｂ    角筒状部
１２８，１２８Ａ，１２８Ｂ    円筒状部
１３０    ネジ穴
１３２    溝
１３４    防水部材
１３６，１３６Ｂ    上面
１３８，１３８Ｂ    下面
１４０，１４０Ｂ    側面
１４２    雌ネジ
１４４    固定部
１４６    孔
１６    アダプタ
１６２    内部モジュール
１６４    ケージ
１６６    弾性片（接触部）
２００    レセプタクル本体
２０２    開口部
２０４    防水部材
２１０    アーム部（接触部）
２１２    接点（接触面）
２１４    支持部
５０，５０Ａ，５０Ｂ    相手側コネクタ（プラグコネクタ）
５０２，５０２Ｂ    ガイド突起部
５２    光コネクタ
８０，８０Ａ，８０Ｂ    筐体
８０２，８０２Ａ，８０２Ｂ    穴
８２    基板
【図１】
2018092051.tif 000003
【図２】
2018092051.tif 000004
【図３】
2018092051.tif 000005
【図４】
2018092051.tif 000006
【図５】
2018092051.tif 000007
【図６】
2018092051.tif 000008
【図７】
2018092051.tif 000009
【図８】
2018092051.tif 000010
【図９】
2018092051.tif 000011
【図１０】
2018092051.tif 000012
【図１１】
2018092051.tif 000013
【図１２】
2018092051.tif 000014
【図１３】
2018092051.tif 000015
【図１４】
2018092051.tif 000016
【図１５】
2018092051.tif 000017
【図１６】
2018092051.tif 000018
【図１７】
2018092051.tif 000019
【図１８】
2018092051.tif 000020
【図１９】
2018092051.tif 000021
【図２０】
2018092051.tif 000022
【図２１】
2018092051.tif 000023
【図２２】
2018092051.tif 000024
【図２３】
2018092051.tif 000025
【図２４】
2018092051.tif 000026
【図２５】
2018092051.tif 000027
【図２６】
2018092051.tif 000028
【図２７】
2018092051.tif 000029
【図２８】
2018092051.tif 000030
【図２９】
2018092051.tif 000031
【図３０】
2018092051.tif 000032
【図３１】
2018092051.tif 000033
【図３２】
2018092051.tif 000034
【図３３】
2018092051.tif 000035
【図３４】
2018092051.tif 000036
【図３５】
2018092051.tif 000037
【図３６】
2018092051.tif 000038
【図３７】
2018092051.tif 000039
【図３８】
2018092051.tif 000040
【図３９】
2018092051.tif 000041
【図４０】
2018092051.tif 000042
【図４１】
2018092051.tif 000043
【図４２】
2018092051.tif 000044